(57)【要約】【課題】この発明は、簡易な構成で、ユーザが遠く離れた場所にいても、容易にステータス情報の表示を要求して、ステータス情報を表示することを可能とした記録再生装置及び記録再生方法を提供することを目的としている。【解決手段】ＭＰＵ２２は、ステータス情報の表示要求を、ネットワーク２９を介して受け付ける。すると、ＭＰＵ２２は、ステータス情報を取得させるためのプログラムをネットワーク２９に出力する。そして、ＭＰＵ２２は、このプログラムに基づくステータス情報の要求をネットワーク２９を介して受け付けると、ステータス情報をネットワーク２９に送信する。【選択図】    図１
2004186772.tif 000002
【特許請求の範囲】
【請求項１】
記録媒体に対する情報の記録再生を行なう記録再生装置において、
ステータス情報の表示を要求する情報を、ネットワークを介して受け付ける手段と、
前記ステータス情報を取得させるためのプログラムを、前記ネットワークに対して出力する手段と、
前記プログラムに基づく前記ステータス情報を要求する情報を前記ネットワークを介して受け付け、前記ステータス情報を前記ネットワークに送信する手段とを具備してなることを特徴とする記録再生装置。
【請求項２】
前記ステータス情報に変更があった場合、変更されたステータス情報のみを前記ネットワークに送信する手段を具備してなることを特徴とする請求項１記載の記録再生装置。
【請求項３】
前記プログラムは、前記ステータス情報に変更がある場合、変更されたステータス情報のみを取得して表示させることを特徴とする請求項１記載の記録再生装置。
【請求項４】
記録媒体に対する情報の記録再生を行なう記録再生方法において、
ステータス情報の表示を要求する情報を、ネットワークを介して受け付け、
前記ステータス情報を取得させるためのプログラムを、前記ネットワークに対して出力し、
前記プログラムに基づく前記ステータス情報を要求する情報を前記ネットワークを介して受け付け、前記ステータス情報を前記ネットワークに送信することを特徴とする記録再生方法。
【請求項５】
前記ステータス情報に変更があった場合、変更されたステータス情報のみを前記ネットワークに送信することを特徴とする請求項４記載の記録再生方法。
【請求項６】
前記プログラムは、前記ステータス情報に変更がある場合、変更されたステータス情報のみを取得して表示させることを特徴とする請求項４記載の記録再生方法。
【発明の詳細な説明】
【０００１】
【発明の属する技術分野】
この発明は、例えば光ディスク等の記録媒体に対して情報の記録再生を行なう記録再生装置及び記録再生方法に係り、特にそのステータス情報の表示を行なうものに関する。
【０００２】
【従来の技術】
周知のように、近年では、例えば、ＤＶＤ−ＲＡＭ（Ｄｉｇｉｔａｌ  Ｖｅｒｓａｔｉｌｅ  Ｄｉｓｋ−Ｒａｎｄｏｍ  Ａｃｃｅｓｓ  Ｍｅｍｏｒｙ）及びＤＶＤ−Ｒ（Ｒａｃｏｒｄａｂｌｅ）等のように、書き込み可能な光ディスクに対して情報の記録再生を行なう、いわゆる、ＤＶＤレコーダが普及している。
【０００３】
この種のＤＶＤレコーダは、その内部の状態を確認するために、ステータス情報を表示する機能を備えている。この場合、ユーザは、ＤＶＤレコーダのフロントパネルに設置された所定のキー、または、リモートコントローラを操作することにより、ステータス情報の表示を要求する。
【０００４】
すると、ＤＶＤレコーダは、ステータス情報の表示要求に基づいて、予めステータス情報として表示することが定められている各種の項目について、それぞれの状態を示す情報を、内蔵された表示部または外付けされたモニタに出力して表示させる。
【０００５】
しかしながら、このような現状のステータス情報表示手段は、ユーザがＤＶＤレコーダの近傍にいることが前提となっている。例えば、ユーザとＤＶＤレコーダとが遠く離れた別々の建物にある場合、ユーザがＤＶＤレコーダのステータス情報を確認することは到底不可能となる。
【０００６】
なお、特許文献１として提示した特開平１１−２０３８４１号公報は、ナビゲーションコマンドに基づくプレーヤの内部情報を全て表示し、その変化の履歴を記録することにより、ナビゲーションコマンドの間違いの解析を容易に行なえるようにしたもので、上記と同じ前提を有するものである。
【０００７】
【特許文献１】
特開平１１−２０３８４１号公報
【０００８】
【発明が解決しようとする課題】
そこで、この発明は上記事情を考慮してなされたもので、簡易な構成で、ユーザが遠く離れた場所にいても、容易にステータス情報の表示を要求して、ステータス情報を表示することを可能とした記録再生装置及び記録再生方法を提供することを目的とする。
【０００９】
【課題を解決するための手段】
この発明に係る記録再生装置は、記録媒体に対する情報の記録再生を行なうものを対象としている。そして、ステータス情報の表示を要求する情報を、ネットワークを介して受け付ける手段と、ステータス情報を取得させるためのプログラムを、ネットワークに対して出力する手段と、プログラムに基づくステータス情報を要求する情報をネットワークを介して受け付け、ステータス情報をネットワークに送信する手段とを備えるようにしたものである。
【００１０】
また、この発明に係る記録再生方法は、記録媒体に対する情報の記録再生を行なう方法を対象としている。そして、ステータス情報の表示を要求する情報をネットワークを介して受け付け、ステータス情報を取得させるためのプログラムをネットワークに対して出力し、プログラムに基づくステータス情報を要求する情報をネットワークを介して受け付けステータス情報をネットワークに送信するようにしたものである。
【００１１】
上記のような構成及び方法によれば、ステータス情報の表示要求情報に基づいて、ステータス情報を取得させるためのプログラムをネットワークに出力し、このプログラムに基づくステータス情報の要求をネットワークを介して受け付けステータス情報をネットワークに送信するようにしている。このため、ネットワークの範囲内であれば、ユーザが遠く離れた場所にいても、容易にステータス情報の表示を要求して、ステータス情報を表示することが可能となる。
【００１２】
【発明の実施の形態】
以下、この発明の実施の形態について、図面を参照して詳細に説明する。図１は、この実施の形態で説明するＤＶＤレコーダ１１を示している。すなわち、このＤＶＤレコーダ１１は、外部から映像及び音声のデータを入力するためのＡＶ入力部１２と、受信したテレビジョン放送信号から所定のチャンネルを選局するＴＶ（Ｔｅｌｅｖｉｓｉｏｎ）チューナ１３とを備えている。
【００１３】
これらＡＶ入力部１２及びＴＶチューナ１３は、取得した映像及び音声のデータをエンコーダ部１４に出力している。このエンコーダ部１４は、入力した映像及び音声のデータに対して、所定の圧縮符号化処理、変調処理、エラー訂正コードの付加処理等を施した後、記録に適したフォーマットに変換してディスクドライブ部１５に出力している。
【００１４】
このディスクドライブ部１５は、エンコーダ部１４から入力した映像及び音声のデータを、ＨＤＤ（Ｈａｒｄ  Ｄｉｓｋ  Ｄｒｉｖｅ）１６によりハードディスクに一旦記録する。その後、ディスクドライブ部１５は、ＨＤＤ１６を介してハードディスクに記録された映像及び音声のデータを読み出し、ディスクドライブ１７に出力している。
【００１５】
このディスクドライブ１７は、例えばＤＶＤ−ＲＡＭ及びＤＶＤ−Ｒ等の光ディスク１８を選択的に装着可能となっている。そして、このディスクドライブ１７は、装着した光ディスク１８を回転駆動し、ＨＤＤ１６から入力した映像及び音声のデータを、光ヘッドにより、一時記録部１９をバッファとして、光ディスク１８に記録している。
【００１６】
また、上記ディスクドライブ部１５は、ディスクドライブ１７が光ヘッドにより光ディスク１８から読み出した映像及び音声のデータを、デコーダ部２０に出力している。このデコーダ部２０は、入力した映像及び音声のデータに対して、復号化処理、復調処理、エラー訂正処理等を施した後、ＤＶＤプレーヤ１１の外部に導出するためにＡＶ出力部２１に出力している。
【００１７】
上記した光ディスク１８に対する記録再生動作は、ＭＰＵ（Ｍｉｃｒｏ  ＰｒｏｃｅｓｓｉｎｇＵｎｉｔ）２２が統括的に制御している。このＭＰＵ２１は、メモリ２３に格納された制御ソフトウェアや、フラッシュＲＯＭ（Ｒｅａｄ  Ｏｎｌｙ  Ｍｅｍｏｒｙ）２４に格納されたファームウェア等に基づいて、タイマーＭＰＵ２５を経て入力した操作入力部２６の操作情報を反映させるように各部を制御している。
【００１８】
なお、メモリ２３は、ＭＰＵ２２に対して作業エリアを提供するとともに、例えば記録予約情報等の各種の設定データを記録している。また、タイマーＭＰＵ２４は、メモリ２３に記録された記録予約情報に基づく記録動作を実現するための時間計測動作を行なうもので、ＭＰＵ２２に対して記録の開始や停止等を指示する情報を発生している。さらに、上記ＭＰＵ２２は、表示部２７に現在の動作状態及び各種の設定状態等を表示させている。
【００１９】
ここで、上記ＭＰＵ２２は、通信制御部２８を接続している。この通信制御部２８は、例えばインターネット等のような外部のネットワーク２９と接続可能になっており、ＭＰＵ２２が発生するデータやコマンドをネットワーク２９上に送出したり、ネットワーク２９上に送出されたデータやコマンドを取り込んでＭＰＵ２２に供給する機能を有している。そして、このネットワーク２９は、ＰＣ３０を接続している。ＰＣ３０は、例えばＤＶＤレコーダ１１のユーザが所有しているものである。
【００２０】
図２は、ＤＶＤレコーダ１１のステータス情報を表示させる動作をまとめたフローチャートを示している。このステータス情報の表示動作は、ＰＣ３０がステータス情報の取得を要求する情報を、ネットワーク２９上に送信することによって、開始（ステップＳ１）する。
【００２１】
このステータス情報の取得を要求する情報は、ステップＳ２で、ＭＰＵ２２が通信制御部２８を介して受け付ける。すると、ＭＰＵ２２は、ステップＳ３で、ＰＣ３０がステータス情報を取得し表示するためのプログラム［例えばＪａｖａ（登録商標）］を、通信制御部２８を介してネットワーク２９上に送信する。
【００２２】
これにより、ＰＣ３０は、ネットワーク２９からプログラムを取得し、そのプログラムに基づくＤＶＤレコーダ１１への接続を要求する情報を、ネットワーク２９上に送信する。
【００２３】
このため、ＭＰＵ２２は、ステップＳ４で、ＰＣ３０がネットワーク２９上に送信した接続要求情報を通信制御部２８を介して入力し、ステップＳ５で、接続を受け付けると、ステップＳ６で、全てのステータス情報をＰＣ３０に送信するために、通信制御部２８を介してネットワーク２９上に送信する。
【００２４】
これにより、ＰＣ３０は、ステップＳ７で、ネットワーク２９からステータス情報を取得して表示する。
【００２５】
その後、ＭＰＵ２２は、ステップＳ８で、変更されたステータス情報をＰＣ３０に送信するために、通信制御部２８を介してネットワーク２９上に送信する。すると、ＰＣ３０は、ステップＳ９で、ネットワーク２９上から変更されたステータス情報を取得して、変更部分の表示を更新し、処理を終了（ステップＳ１０）する。
【００２６】
上記した実施の形態によれば、ＰＣ３０によりネットワーク２９を介してステータス情報の表示を要求すると、ＤＶＤレコーダ１１がステータス情報を表示させるためのプログラムをＰＣ３０に送信する。そして、ＰＣ３０が、このプログラムに基づいて、ＤＶＤレコーダ１１からステータス情報を取得して表示するようにしている。
【００２７】
このため、ネットワーク２９の範囲内であれば、ＤＶＤレコーダ１１とＰＣ３０とが遠く離れた場所にいても、容易にステータス情報の表示を要求して、ステータス情報を表示することが可能となる。
【００２８】
ここで、ステータス情報としては、現在装着されている光ディスク１８の再生時間、現在装着されている光ディスク１８の種類、現在選局されている放送チャンネル等々、あらゆる内部情報が設定可能である。
【００２９】
さらに、ネットワーク２９としては、インターネットだけに限らず、例えばＬＡＮ（Ｌｏｃａｌ  Ａｒｅａ  Ｎｅｔｗｏｒｋ）等のように、種々の通信ネットワークを広く使用することができる。
【００３０】
なお、この発明は上記した実施の形態に限定されるものではなく、この外その要旨を逸脱しない範囲で種々変形して実施することができる。
【００３１】
【発明の効果】
以上詳述したようにこの発明によれば、簡易な構成で、ユーザが遠く離れた場所にいても、容易にステータス情報の表示を要求して、ステータス情報を表示することを可能とした記録再生装置及び記録再生方法を提供することができる。
【図面の簡単な説明】
【図１】この発明の実施の形態を示すもので、ＤＶＤレコーダを説明するために示すブロック構成図。
【図２】同実施の形態におけるＤＶＤレコーダのステータス情報を表示させる動作を説明するために示すフローチャート。
【符号の説明】
１１…ＤＶＤレコーダ、
１２…ＡＶ入力部、
１３…ＴＶチューナ、
１４…エンコーダ部、
１５…ディスクドライブ部、
１６…ＨＤＤ、
１７…ディスクドライブ、
１８…光ディスク、
１９…一時記録部、
２０…デコーダ部、
２１…ＡＶ出力部、
２２…ＭＰＵ、
２３…メモリ、
２４…フラッシュＲＯＭ、
２５…タイマーＭＰＵ、
２６…操作入力部、
２７…表示部、
２８…通信制御部、
２９…ネットワーク、
３０…ＰＣ。
【図１】
2004186772.tif 000003
【図２】
2004186772.tif 000004